(57)【要約】 【課題】  貯水タンクに熱水を注入した場合でも、洗浄槽の開閉扉のシール材が損傷することなく、加熱された洗浄水に水道水等の注入が防止され、貯水タンクに水道水や熱水等の注入を促す表示が設けられた食器洗浄機を提供する。【解決手段】  食器洗浄機１００は、本体１、給水パイプ４、貯水タンク１０、給水ポンプ１７、給水路１８、洗浄槽９、洗浄ポンプ２０、排水ポンプ２３、排水路２４、制御手段を有し、貯水タンク１０には水位センサ１３、温度センサ１５が配置されている。制御手段は、貯水タンク１０に注水許容温度を超えた温度の熱水が注入された際、その旨の警報または表示をして、給水ポンプ１７を起動不能にし、また、貯水タンク１０に満水位を超えて注水された際、その旨の警報または表示し、さらに、乾燥工程に並行して次回の洗浄のために、貯水タンクに水道水等の注入を促す表示をして、注入された水道水等を予熱する。【選択図】  図２
2006247109.tif 000002
【特許請求の範囲】
【請求項１】
洗浄される食器を収納する洗浄槽と、
洗浄水を貯蔵する貯水タンクと、
前記貯水タンク内に貯蔵された洗浄水を加熱する加熱手段と、
前記貯水タンク内に貯蔵された洗浄水の温度を検知する温度検知手段と、
前記貯水タンク内に貯蔵された洗浄水を前記洗浄槽に供給する洗浄水供給手段と、
前記加熱手段と前記洗浄水供給手段とを制御する制御手段と、を有し、
前記制御手段は、前記貯水タンクに予め加熱された洗浄水が注入された際、前記温度検知手段の検知した温度が所定の注水許容温度を超えた温度であるとき、該注水許容温度を超えた温度の洗浄水が注入されたことを示す高温注水表示手段または高温注水警報手段の一方または両方を起動する起動信号を発することを特徴とする食器洗浄機。
【請求項２】
前記所定の注水許容温度は、前記加熱手段が洗浄水を加熱する際に設定される温度より高いことを特徴とする請求項１記載の食器洗浄機。
【請求項３】
前記制御手段は、前記起動信号を発した後、前記温度検知手段の検知した温度が所定の注水許容温度以下に低下したとき、前記高温注水表示手段または高温注水警報手段の一方または両方を停止する停止信号を発することを特徴とする請求項１または２記載の食器洗浄機。
【請求項４】
前記制御手段は、前記温度検知手段の検知した温度が前記注水許容温度を超えた温度である間、前記洗浄水供給手段を起動不能にすることを特徴とする請求項１乃至３の何れかに記載の食器洗浄機。
【請求項５】
洗浄される食器を収納する洗浄槽と、
洗浄水を貯蔵する貯水タンクと、
前記貯水タンク内に貯蔵された洗浄水の水位を検知する水位検知手段と、
前記貯水タンク内に貯蔵された洗浄水を前記洗浄槽に供給する洗浄水供給手段と、
前記洗浄水供給手段を制御する制御手段と、
満水表示手段または満水警報手段の一方または両方と、を有し、
前記制御手段は、前記水位検知手段が検知した水位が所定の満水位以上であるとき、前記満水表示手段または満水警報手段の一方または両方を起動する起動信号を発することを特徴とする食器洗浄機。
【請求項６】
洗浄水を前記貯水タンクからオーバーフローさせるための開口部が、前記貯水タンクの前記満水位よりも高い位置に形成されていることを特徴とする請求項５記載の食器洗浄機。
【請求項７】
洗浄される食器を収納する洗浄槽と、
洗浄水を貯蔵する貯水タンクと、
前記貯水タンク内に貯蔵された洗浄水を加熱する加熱手段と、
前記貯水タンク内に貯蔵された洗浄水の水位を検知する水位検知手段と、
前記貯水タンク内に貯蔵された洗浄水を前記洗浄槽に供給する洗浄水供給手段と、
前記加熱手段と洗浄水供給手段とを制御する制御手段と、
注水エラー表示手段または注水エラー警報手段の一方または両方と、を有し、
前記制御手段は、前記貯水タンクにおける洗浄水の水位が所定の注水許容水位以上にある間に、前記水位検知手段が前記貯水タンクへの洗浄水の注入を検知したとき、前記注水エラー表示手段または注水エラー警報手段の一方または両方を起動する起動信号を発することを特徴とする食器洗浄機。
【請求項８】
洗浄される食器を収納する洗浄槽と、
洗浄水を貯蔵する貯水タンクと、
前記貯水タンク内に貯蔵された洗浄水を加熱する加熱手段と、
前記貯水タンク内に貯蔵された洗浄水の水位を検知する水位検知手段と、
前記貯水タンク内に貯蔵された洗浄水の温度を検知する温度検知手段と、
前記貯水タンク内に貯蔵された洗浄水を前記洗浄槽に供給する洗浄水供給手段と、
前記加熱手段と洗浄水供給手段とを制御する制御手段と、
注水エラー表示手段または注水エラー警報手段の一方または両方と、を有し、
前記制御手段は、前記貯水タンクにおける洗浄水の水位が所定の注水許容水位以上にある間に、前記温度検知手段が前記貯水タンクへの洗浄水の注入を検知したとき、前記注水エラー表示手段または注水エラー警報手段の一方または両方を起動する起動信号を発することを特徴とする食器洗浄機。
【請求項９】
注水可能表示手段または注水可能報知手段の一方または両方が設置され、
前記制御手段は、前記貯水タンクにおける洗浄水の水位が、所定の注水許容水位未満になった際、前記注水可能表示手段または注水可能報知手段の一方または両方を起動する起動信号を発すると共に、前記水位が所定の満水位に到達した際、前記起動している注水可能表示手段または注水可能報知手段の一方または両方を停止する停止信号を発することを特徴とする請求項７または８記載の食器洗浄機。
【請求項１０】
前記制御手段は、前記貯水タンクにおける洗浄水の水位が、所定の注水許容水位未満になった後、再度所定の加熱開始水位に到達したとき、前記加熱手段を起動する起動信号を発することを特徴とする請求項９記載の食器洗浄機。
【発明の詳細な説明】
【技術分野】
【０００１】
本発明は、食器類を洗浄する食器洗浄機に関するものである。
【背景技術】
【０００２】
一般に、食器洗浄機は洗浄槽内に収納された食器類に水を噴射して、食器類に付着した汚れを除去するものである。特に、一般家庭で使用される卓上タイプの食器洗浄機は、キッチンのカウンタートップに設置され、主に食後に主婦等によって使用されるため、設置の容易化、操作の容易化さらに洗浄時間の短縮化が図られている。
たとえば、水道水栓に簡易な分岐機構を設置することによって配管工事を不要にしたり、食器洗浄機に貯水タンクを設置して、貯水タンク内の水をヒータ等によって予め加熱し、高い温度の水（湯）による洗いやすすぎによって洗浄時間（以下、洗い工程、すすぎ工程、および乾燥工程の各時間を合計した時間を「全運転時間」と称す）を短縮しようとしたりする発明が開示されている（例えば、特許文献１参照）。
【０００３】
【特許文献１】特開２００１−５７９５６号公報（第３頁、第１図）
【発明の開示】
【発明が解決しようとする課題】
【０００４】
しかしながら、前記特許文献に開示された食器洗浄機には以下のような問題があった。
（ｉ）給湯器等から高温に加熱された水（以下「熱水」と称す）を貯水タンクに注入した場合、かかる熱水が洗浄槽に供給され、洗浄槽の食器を出し入れするための扉のシール材が損傷してシール性が悪化、たとえば、食器洗浄機の外部に水が滲み出る。
（ｉｉ）また、貯水タンク内の水が所定の温度に加熱された後に、貯水タンクに水道水等（冷たい水）が注入された場合には、該高温の水が冷却され、洗浄効果が低下する。
（ｉｉｉ）さらに、貯水タンクに水道水や熱水等の注入を促す表示がないため、如何なるタイミングにどれだけの量を注ぎ足すことができるのか知ることができない。
【０００５】
本発明は、上記のような問題を解消するためになされたもので、貯水タンクに熱水を注入した場合でも、洗浄槽の開閉扉のシール材が損傷することなく、また、加熱された水に水道水等の注入が防止され、さらに、貯水タンクに水道水や熱水等の注入を促す表示が設けられた食器洗浄機を提供することを目的とする。
【課題を解決するための手段】
【０００６】
洗浄される食器を収納する洗浄槽と、
洗浄水を貯蔵する貯水タンクと、
前記貯水タンク内に貯蔵された洗浄水を加熱する加熱手段と、
前記貯水タンク内に貯蔵された洗浄水の温度を検知する温度検知手段と、
前記貯水タンク内に貯蔵された洗浄水を前記洗浄槽に供給する洗浄水供給手段と、
前記加熱手段と前記洗浄水供給手段とを制御する制御手段と、を有し、
前記制御手段は、前記貯水タンクに予め加熱された洗浄水が注入された際、前記温度検知手段の検知した温度が所定の注水許容温度を超えた温度であるとき、該注水許容温度を超えた温度の洗浄水が注入されたことを示す高温注水表示手段または高温注水警報手段の一方または両方を起動する起動信号を発することを特徴とする。
【発明の効果】
【０００７】
本発明に係る食器洗浄機は、高温注水表示手段または高温注水警報手段の一方または両方を有し、制御手段は、前記貯水タンクに予め加熱された洗浄水が注入された際、温度検知手段の検知した温度が所定の注水許容温度を超えた温度であるとき、高温注水表示手段または高温注水警報手段の一方または両方を起動する起動信号を発するから、食器洗浄機を使用する者は、注入している洗浄水の温度が高過ぎることを知ることができる。したがって、たとえば、給湯器等の設定温度を下げる方向に設定したり、貯水タンクに水道水を注入したりする措置が迅速にとれることになる。
【発明を実施するための最良の形態】
【０００８】
以下、本発明の実施の形態を図面に基づいて説明する。
図１は、本発明の実施の形態に係る食器洗浄機の設置状態の一例を示す設置状態図である。図１において、食器洗浄機１００は、洗浄に供する水または熱水（以下まとめて「洗浄水」と称す）を内部に一旦貯蔵し、その洗浄水を設定されている所定温度（以下「洗浄温度」と称す、例えば、９０℃）に加熱し、その加熱した洗浄水で食器を所定時間洗浄し、洗浄が終了すると食器のすすぎを行い、最後に食器を乾燥させるものである。なお、この加熱、洗浄、すすぎ、乾燥の一連の工程をまとめて「全洗浄工程」と称する。
食器洗浄機１００の本体１は、キッチンのカウンタートップ２００に設置されており、本体１の前面に扉３と操作部２とが設けられている。また、本体１には、蛇口７から供給される水あるいは図示しない給湯器から熱水を受水する受水口５を具備する給水パイプ４と、シンク２０１に排水する排水ホース６とが備えられている。
【０００９】
（本体）
図２は、図１に示す食器洗浄機の本体の内部構成を示す概略断面図である。
図２において、食器洗浄機１００の本体１には、所定量の洗浄水１２（例えば、６リットル）を一旦貯蔵する貯水タンク１０と、洗浄水１２を蛇口７（図１参照）から貯水タンク１０に供給する給水パイプ４と、洗浄される食器を収納する洗浄槽９と、洗浄水１２を貯水タンク１０から洗浄槽９に給水する給水路１８と、洗浄槽９で使用された洗浄水１２を排出する排水ホース６に連結される排水路２４とが設置されている。また、本体１には、図示しない制御手段（これについては別途詳細に説明する）が設けられている。
【００１０】
（給水パイプ）
給水パイプ４は、洗浄水１２を蛇口７から貯水タンク１０に流入させるものである。また、給水パイプ４の先端には受水口５が設けられ、給水源からの洗浄水１２の流入を容易にしている。なお、受水口５は水道水栓からの流水を受け止めるものが例示されているが、本発明はこれに限定するものではなく、使用者はやかんやポット、バケツ等から冷水や熱水を受水口５に注いでもよく、あるいは、水道水栓等や給湯器の給湯管（図示しない）を受水口５に直接または接続管を介して接続してもよい。
【００１１】
（貯水タンク）
貯水タンク１０には、ヒータ１６と、水位センサ１３と、温度センサ１５とが備えられている。貯水タンク１０は、一回の全洗浄工程に必要な洗浄水１２を貯蔵できる大きさ（例えば、６リットル程度）に形成されているのが望ましい。加熱手段であるヒータ１６は、貯水タンク１０内に貯蔵された洗浄水１２を洗浄温度に加熱するものである。ここでは、ヒータ１６が貯水タンク１０内部に組み込まれている場合を例示しているが、本発明はこれに限定するものではなく、貯水タンク１０の外部に備えられてもよい。なお、洗浄水１２の温度、すなわち、ヒータ１６の起動／停止は、制御手段（図示しない）によって制御される。
【００１２】
（水位センサ）
水位検知手段である水位センサ１３は、貯水タンク１０内に貯蔵される洗浄水１２の水位を検知するものであって、水位センサ１３の検知情報は、制御手段（図示しない）に送られる。ここでは、水位センサ１３としてフロート式を例示しているが、本発明はこれに限定するものはなく、複数の位置に固定された固定式の水位センサによって構成してもよい。また、満水位１４は、満水位１４にある洗浄水１２が通常の選択モードの洗浄に好適な量であることを示すものであって、貯水タンク１０が貯蔵する最大容量は、洗浄水がオーバーフローするオーバーフロー口１１の位置（満水位１４よりも高い位置にある）によって決定される。
なお、洗浄水１２が貯水タンク１０に過剰に注入され、満水位１４を超えてオーバーフロー口１１に到達して場合は、オーバーフローして排水路２４に流れ込むことになる。
【００１３】
（温度センサ）
温度検知手段である温度センサ１５は、貯水タンク１０内に貯蔵される洗浄水１２の温度を検知するものであり、たとえば、サーミスタ等で構成されている。なお、温度センサ１５の検知情報は、制御手段（図示しない）に送られ、ヒータ１６の制御に供される。
【００１４】
（給水ポンプ）
貯水タンク１０内に貯蔵された洗浄水１２は、洗浄水供給手段である給水ポンプ１７によって洗浄槽９に供給される。すなわち、制御手段（図示しない）が給水ポンプ１７に起動信号を発すると、給水ポンプ１７は運転を開始して、貯水タンク１０内に貯蔵された洗浄水１２は給水路１８を経由して給水口１９から洗浄槽９に供給される。
【００１５】
（洗浄槽）
洗浄槽９は、洗浄される食器が収納されるものであり、実際に食器の洗浄が実行される所である。洗浄槽９の底部には洗浄ポンプ２０および排水ポンプ２３が、天井部には送風ファン２５が、それぞれ設置されている。すなわち、洗浄ポンプ２０によって洗い工程やすすぎ工程が、送風ファン２５によって乾燥工程が実行される。
【００１６】
（洗浄ポンプ）
洗浄ポンプ２０は、洗浄槽９の底部に溜まった洗浄水１２を吸引して加圧するものであって、加圧された洗浄水１２は洗浄ノズル２１から食器（図示しない）に向けて噴射される。なお、洗浄ノズルは洗浄ポンプ２０に連結された配管の複数箇所に設置され、それぞれが所定の噴射パターンで所定量を噴射するものである。また、かかる配管は一部が回転するもの、樹枝状に分岐するものであってもよい。
洗浄槽９の底部には循環水路２２が形成され、洗浄ノズル２１から噴射した洗浄水１２を洗浄ポンプ２０に循環させる水路として機能している。すなわち、洗浄水１２を洗浄槽９内で循環させて繰り返し使用するようになっているのである。
【００１７】
（送風ファン）
送風ファン２５は、すすぎ工程の後に食器を乾燥させるためのものである。送風ファン２５は洗浄槽９の天井部に設けられ、送風口２６を介して洗浄槽９に連通している。なお、送風ファン２５を天井部とは別の場所に設置して、配管を経由して送風口２６に向けて風を送ってもよい。また、乾燥を促進するため送風エアーを加熱してもよい。
【００１８】
（排水ポンプ）
排水ポンプ２３は洗浄水１２を洗浄槽９の外部に排出するためのものであって、洗浄槽９の底部に設けられている。すなわち、制御手段２７が排水ポンプ２３を起動させると、洗浄水１２が洗浄槽９から排水路２４および排水ホース６を介してシンク２０１に排水される。なお、排水路２４は分岐しており、オーバーフロー口１１を介して貯水タンク１０と連通している。
【００１９】
（制御手段）
図３は、図１に示す食器洗浄機の電気的な構成を示すブロック図である。図３において、食器洗浄機１００を制御する制御手段２７は、後記する操作部に入力された操作信号によって起動され、あらかじめ記憶された洗浄モード情報や、水位センサ１３から送られる検知情報（水位情報）および温度センサ１５から送られる検知情報（温度情報）等の各検知情報に基づいて、ヒータ１６や給水ポンプ１７、洗浄ポンプ２０、排水ポンプ２３、送風ファン２５等を制御するものである。なお、制御手段２７はマイクロコンピュータで構成されているが、本発明はこれに限定するものではなく、所望の制御が実行されるものであれば何れのものであってもよい。
【００２０】
すなわち、制御手段２７は、水位センサ１３が満水位を検知するとヒータ１６を起動させたり、温度センサ１５が洗浄水１２が洗浄温度になっていることを検知すると、ヒータ１６を停止させたり、給水ポンプ１７を起動させたりする。また、制御手段２７は、使用者に所定の情報を知らせる注水表示部２ｂおよび工程表示部２ｃ（これについては別途詳細に説明する）を制御したり、電源スイッチ３０のオートオフ制御をしたりすることができる。なお、前記警報はブザー２８に限定するものではなく、例えば、音に替えて光を発したり、操作部２に所定の警報表示をしたりしてもよい。
【００２１】
（操作部）
図４は、図１に示す食器洗浄機の操作部の一例を示す平面図である。図４において、食器洗浄機１００の操作部２は、入力部２ａと、注水表示部２ｂ、工程表示部２ｃとから構成されている。
入力部２ａは、本体１へ供給する電源のオン／オフを行なう電源スイッチ３０と、洗浄の開始を指令するスタート信号を発信させるためのスタートキー３１とからなる。
注水表示部２ｂは、貯水タンク１０に洗浄水１２を注入することができる状態（たとえば、洗い工程を除く時間帯等）にあることを知らせる注水可能ランプ４０と、注入された洗浄水１２の水面が満水位１４に到達したことを知らせる満水ランプ４１と、不適当な時間帯に洗浄水１２が注入されていることを知らせる注水エラーランプ４２とからなる。
そして、工程表示部２ｃは、全洗浄工程のうち洗い工程にあることを表示する洗いランプ４２と、すすぎ工程にあることを表示するすすぎランプ４３と、乾燥工程にあることを表示する乾燥ランプ４５とからなる。
【００２２】
電源スイッチ３０は、作業者が操作することによって、全洗浄工程の開始を指示するスタート信号、より具体的には洗浄水供給手段である給水ポンプ１７の運転開始を指示するスタート信号を発するものである。
なお、注水表示部２ｂおよび工程表示部２ｃは、それぞれ点灯ランプまたは点滅ランプによるものを例示しているが、本発明はこれに限定するものではなく、たとえば、共通の液晶画面に、それぞれの内容を意味する文字や記号あるいは図を表示してもよい。さらに、表示に替えてあるいは表示と並行して、それぞれの内容を意味する称呼やそれぞれの内容に対応した音を発してもよい。
【００２３】
（制御フロー）
次に、本体１の動作処理を説明する。  
図５は、図１に示す食器洗浄機の制御手段が実行する処理の流れを示すフローチャートである。なお、図１〜図４と同じ部分にはこれと同じ符号を付し、一部の説明を省略する。
【００２４】
（初期工程）
図５において、制御手段２７は電源スイッチ３０がオンされて電源が供給されると、初期工程を開始する（ステップ５０、図中「Ｓ５０」にて示す、以下、同様に「ステップ」を「Ｓ」と表示する）。
そうすると、注水可能ランプ４０が点灯される。このとき、満水ランプ４１と注水エラーランプ４２とは消灯している（Ｓ５１）。
【００２５】
次に、水位センサ１３によって検知された洗浄水１２の水位が満水位１４に到達しているか否か判断する。そして、満水位１４に到達していないとき（たとえば、注水開始直後等）、加熱工程（Ｓ５３以降）に進む（Ｓ５２）。
【００２６】
（加熱工程）
加熱工程（Ｓ５３以降）の最初に、温度センサ１５によって検知された洗浄水１２の温度が所定の注水許容温度Ｔ３を超えているか否か判断する。そして、注水許容温度Ｔ３を超えているとき、高温注水警報工程（Ｓ５４以降）に進む。
【００２７】
高温注水警報工程では、まず、警報手段を起動する起動信号を発して、ブザー２８をオンし（Ｓ５５）、注水エラーランプ４２を点灯する（Ｓ５６）。そして、洗浄水１２の温度が所定の給水可能温度Ｔ２未満にまで低下したか否か判断する（Ｓ５７）。
そして、洗浄水１２の温度が給水可能温度Ｔ２未満になっているとき、高温注水警報を解除、すなわち、警報手段を停止する停止信号を発して、ブザー２８をオフして注水エラーランプ４２を消灯し（Ｓ５８）、初期工程（Ｓ５１）に戻る。
なお、洗浄水１２の温度が給水可能温度Ｔ２未満にまで低下しない限り、ブザー２８は鳴り続け、注水エラーランプ４２を点灯を続ける。
【００２８】
（給水工程）
一方、初期工程（Ｓ５１〜Ｓ５３）で、洗浄水１２の温度が注水許容温度Ｔ３を超えないで、洗浄水１２の水位が満水位１４に到達してるとき、洗い工程（Ｓ５９以降）に進む。すなわち、注水可能ランプを消灯して満水ランプ４１を点灯する（Ｓ５９）。
【００２９】
次に、操作部２におけるスタートキー３１がオンされるまで待機する（Ｓ６０）。そして、スタートキー３１がオンされると、洗浄水１２の温度が洗浄に好適な温度である洗浄温度Ｔ１を超えているか否か判断し（Ｓ６１）、洗浄水１２の温度が洗浄温度Ｔ１以下のときは、洗浄温度Ｔ１を超えるまでヒータ１６をオンし続ける（Ｓ６２）。
そして、洗浄水１２の温度が洗浄温度Ｔ１を超えたときは、ヒータ１６をオフして（Ｓ６３）、満水ランプ４１を消灯する。このとき、注水可能ランプ４０、満水ランプ４１および注水エラーランプ４２は全て消灯する（Ｓ６４）。
【００３０】
（洗い工程）
すなわち、ここにおいて、食器を洗うための条件ができたことになるから、洗いランプ４３を点灯し、所定のｔ１時間の間だけ給水ポンプ１７を運転して所定の量の洗浄水１２を洗浄槽９に供給し、所定のｔ２時間の間だけ洗浄ポンプ２０を運転して食器に向けて洗浄水１２を噴射し、所定のｔ３時間の間だけ排水ポンプ２３を運転して洗浄に供した洗浄水を洗浄槽９の外に排出する（Ｓ６５）。
なお、かかる洗い工程（Ｓ６５）におけるｔ１、ｔ２あるいはｔ３時間の値や、繰り返し回数は一定の値に固定されるものではなく、洗浄モードの切替スイッチないし選択手段（図示しない）を設置して、該切替スイッチ等に入力された洗浄モードに応じて適宜変更されるものである。したがって、１回目の洗浄におけるｔ１、ｔ２あるいはｔ３時間の値と、２回目以降の洗浄におけるｔ１、ｔ２あるいはｔ３時間の値とは、同一でも相違してもよい。
【００３１】
（すすぎ工程）
次に、洗い工程に準じて、すすぎ工程を実行する。すなわち、すすぎランプ４４を点灯し、所定のｔ４時間の間だけ給水ポンプ１７を運転して所定の量の洗浄水１２を洗浄槽９に供給し、所定のｔ５時間の間だけ洗浄ポンプ２０を運転して食器に向けて洗浄水１２を噴射し、所定のｔ６時間の間だけ排水ポンプ２３を運転してすすぎに供した洗浄水を洗浄槽９の外に排出する（Ｓ６５）。なお、かかるすすぎ工程（Ｓ６６）におけるｔ４、ｔ５あるいはｔ６時間の値や、繰り返し回数は洗い工程と同様に一定の値に固定されるものではない。
【００３２】
そして、すすぎ工程（Ｓ６６）が終了したところで、貯水タンク１０への注水が可能であることを知らせる報知手段を起動する起動信号を発し、注水可能ランプ４０を点灯する（Ｓ６７）。
なお、最後のすすぎ用の洗浄水が洗浄槽９に供給された後は、貯水タンク１０に冷たい水が注入されてもすすぎ工程に支障がないため、すすぎ工程（Ｓ６６）が終了する前であっても、給水ポンプ１７のｔ４時間の最後の運転が終了した後、すなわち、すすぎ用の洗浄水が洗浄槽９に供給された後なら、注水可能ランプ４０を表示してもよい。
さらに、給水ポンプ１７のｔ４時間の最後の運転が終了したことは、あらかじめ設定された運転モードに対照して判断されるものであるが、これに替えて、水位センサ１３の検知した水位が所定の水位未満であるときは、最終すすぎのための洗浄水１２が洗浄槽９に供給された後であると判断してもよい。
【００３３】
（乾燥工程）
最後に、乾燥ランプ４５を点灯して、送風ファン２５を所定のｔ７時間だけ運転し（Ｓ６８）。ｔ７時間が経過した後、送風ファン２５をオフすると共に、乾燥ランプ４５を点滅して全洗浄工程が終了したことを知らせ、制御を終了する（Ｓ７７）。
なお、制御を終了にともなって、乾燥ランプ４５を点灯および注水可能ランプの点灯も終了する。
【００３４】
（予熱工程）
なお、洗い工程（Ｓ６５）およびすすぎ工程（Ｓ６６）の間に、貯水タンク１０に水道水等の注入があった場合、加熱された洗浄水１２の温度が低下するため、かかる注水を「エラー」として作業者に知らせている。すなわち、洗い工程（Ｓ６５）およびすすぎ工程（Ｓ６６）に並行して、水位センサ１３が水位の上昇を検知した場合（Ｓ６９）、警報手段を起動する起動信号を発して、ブザー２８をオンし（Ｓ７０）、注水エラーランプ４２を点灯する（Ｓ７１）。
なお、図中、かかる注水エラーランプ４２の点灯の後は制御を終了、すなわち、洗い工程またはすすぎ工程を中止するものを示しているが、本発明はこれに限定するものではない。たとえば、最終のすすぎ工程用に洗浄水１２を洗浄槽９に供給した後である場合には、すすぎ工程を継続するようにしてもよい。あるいは、注水によって貯水タンク１０内の洗浄水１２の温度が低下したときは、再度、ヒータ１６をオンし、洗浄水１２の温度が洗浄温度Ｔ１超えてから、給水ポンプ１７の運転を再開するようにしてもよい。
【００３５】
なお、かかる注水は、水位センサ１３の検知した水位の変化から推定しているが、水位センサ１３に替えて、温度センサ１５の検知した温度の変化から推定してよい。
また、現在、洗い工程（Ｓ６５）またはすすぎ工程（Ｓ６６）の間であることの判断は、あらかじめ設定された運転モードと対照して判断しているが、貯水タンク１０の水位を検知してその検知結果から判断してもよい。
【００３６】
また、すすぎ工程（Ｓ６６）を終了した後は、貯水タンク１０への注水が可能であるから、注水し、乾燥工程（Ｓ６８）の間に貯水タンク１０内の洗浄水を加熱しておけば、つぎの洗浄（洗浄される食器を入れ替えた後の洗浄）において、洗浄水を加熱する時間が短縮されることになる。
すなわち、注水可能ランプ４０の点灯から乾燥工程（Ｓ６８）が終了するまでの間、これに並行して、水位センサ１３が洗浄水１２の水位が満水位１４に到達したか否かを検知し（Ｓ７２）、到達したときは、ブザー２８をオンし、注水可能ランプ４０を消灯する（Ｓ７３）。
さらに、洗浄水１２の水位が満水位１４に到達した後は、温度センサ１５が検知した洗浄水１２の温度が洗浄温度Ｔ１超えているか判断し（Ｓ７４）、洗浄温度Ｔ１以下の場合は、ヒータ１６をオンし（Ｓ７５）、一方、洗浄温度Ｔ１を超える温度の場合またはヒータ１６による加熱によって洗浄温度Ｔ１を超える温度になったところで、ヒータ１６をオフし（Ｓ７６）、制御を終了する（Ｓ７７）。
【００３７】
以上の説明から明らかなように、本発明に係る食器洗浄機１００は、貯水タンク１０に注水された洗浄水１２が注水許容温度Ｔ３を超えた温度であるとき、その旨の警報を使用者に知らせると共に、洗浄槽９への給水を不能にするから、洗浄槽９の扉のシール材が損傷することがない。よって、食器洗浄機１００の周囲に水が漏れることがなく、キッチンのカウンタトップは乾燥し、清潔に保たれる。
さらに、食器洗浄機１００の貯水タンク１０にはオーバーフロー口１１が設けられているから、仮に、過剰な注水があっても、本体１や食器洗浄機１００の周囲に水が溢れ出すことがない。
また、全洗浄工程のうちすすぎ工程（Ｓ６６）が終了した後、乾燥工程（Ｓ６８）に並行して、貯水タンク１０への注水を促す注水可能ランプ４０を点灯し、注入された洗浄水１２を洗浄温度Ｔ１にまで加熱して次の洗浄に備えるから、次の洗浄の全運転時間が短縮する。
【００３８】
（タイミングチャート）
次に、前記制御フロ−をタイミングチャートを用いて補足的に説明する。図６〜図９は、図１に示す食器洗浄機の制御手段が実行する処理の流れを示すタイミングチャートである。なお、図１〜図５と同じ部分にはこれと同じ符号を付し、一部の説明を省略する。
【００３９】
（通常シーケンス）
図６は通常シーケンスのタイミングチャートである。図６において、電源スイッチ３０がオンされると注水可能ランプ４０が点灯する（図６において「時刻Ｚ］にて示す）。
そして、貯水タンク１０への注水が開始され（時刻Ａ）、水位センサ１３が水位が満水位１４に到達したことを検知すると、注水可能ランプ４０が消灯し、満水ランプ４１が点灯し、ブザー２８が鳴り始める（時刻Ｂ）。
この間（時刻Ａ〜Ｂ）、ヒータ１６はオフしているものの、温度センサ１５は、注入される洗浄水１２の温度を検知している（図中、洗浄水１２の温度が大気温度より高くなっている）。なお、満水位１４に到達した後も注水が続いるため、洗浄水１２はオーバーフロー口１１に到達した後は、排水路２４に溢れ出すことになる。
【００４０】
そして、スタートキー３１が押されると（時刻Ｃ）、ヒータ１６がオンし、ブザー２８は停止する（時刻Ｃ）。そして、温度センサ１５が洗浄水１２の温度が洗浄温度Ｔ１に到達したことを検知すると、ヒータ１６を停止し、満水ランプ４１を消灯し、洗いランプ４３を点灯し、給水ポンプ１７を起動する（時刻Ｄ）。
すなわち、時刻Ｄから所定のｔ１時間の間だけ給水ポンプ１７は稼働して、所定の量の洗浄水１２（洗い用）を洗浄槽９に供給する。そして、ｔ１時間経過したところで、洗浄ポンプ２０は起動され、所定のｔ２時間の間だけ稼働を継続して停止するから、ｔ２時間の間に食器は洗われる。さらに、洗浄ポンプ２０が停止すると、排水ポンプ２３が所定のｔ３時間の間だけ稼働して、洗いに供した洗浄水１２を洗浄槽９の外に排出して、洗浄工程を終了する（時刻Ｅ）。なお、この間（時刻Ｄ〜Ｅ）、洗いランプ４３は点灯している。
【００４１】
さらに、洗浄工程が終了すると、すすぎ工程に入る（時刻Ｅ）。すなわち、時刻Ｅから所定のｔ４時間の間だけ給水ポンプ１７は稼働して、所定の量の洗浄水１２（すすぎ用）を洗浄槽９に供給する。そして、ｔ４時間経過したところで、洗浄ポンプ２０は起動され、所定のｔ５時間の間だけ稼働を継続して停止するから、ｔ５時間の間に食器は洗われる。さらに、洗浄ポンプ２０が停止すると、排水ポンプ２３が所定のｔ６時間の間だけ稼働して、すすぎに供した洗浄水１２を洗浄槽９の外に排出して、すすぎ工程を終了する（時刻Ｆ）。なお、この間（時刻Ｅ〜Ｆ）、すすぎランプ４４は点灯している。
また、給水ポンプ１７が所定の量の洗浄水１２を洗浄槽９に供給する（ｔ４時間が経過したに同じ）と、貯水タンク１０に水位は低下し、また、温度センサ１５の検知温度も低下する。
【００４２】
最後に、すすぎ工程が終了すると、乾燥工程に入る（時刻Ｆ）。すなわち、時刻Ｆから所定のｔ７時間の間だけ送風ファン２５が稼働して、食器を乾燥する。そして、ｔ７時間が経過したところで、送風ファン２５を停止し、電源スイッチ３０をオフする（時刻Ｇ）。
なお、この間（時刻Ｆ〜Ｇ）、乾燥ランプ４５および注水可能ランプ４０は点灯しているが、時刻Ｇにおいて、すべてのランプは消灯し、一連の運転が終了する。
【００４３】
（高温注水）
図７は高温注水のタイミングチャートである。図７において、電源スイッチ３０がオンされると注水可能ランプ４０が点灯する（図７において「時刻Ｚ］にて示す）。そして、貯水タンク１０への注水が開始され（時刻Ａ）、水位センサ１３が水位が満水位１４に到達したことを検知すると、注水可能ランプ４０が消灯し、満水ランプ４１が点灯し、ブザー２８が鳴り始める（時刻Ｂ）。
この間（時刻Ａ〜Ｂ）、ヒータ１６はオフしているものの、温度センサ１５の検知温度は、注入される洗浄水１２が高温に加熱されているため上昇している。また、最回の食器洗浄（最回の運転）であるため、温度センサ１５が高い温度を検知したところで、注入エラーと判断して、注水エラーランプ４２を点灯する。
なお、満水位１４に到達した後も注水が続いるため、洗浄水１２はオーバーフロー口１１に到達した後は、排水路２４に溢れ出すことになる。
【００４４】
そして、注水を停止すると、ブザー２８は停止する（時刻Ｃ）。
その後、所定の時間が経過する間に、貯水タンク１０内の洗浄水１２の温度が、所定の給水可能温度Ｔ２にまで低下し、かつ、スタートキー３１が押されると洗い工程が始まる（時刻Ｄ）。なお、給水可能温度Ｔ２にまで低下した後にスタートキー３１が押される場合は、スタートキー３１が押されたときに、スタートキー３１が押されたものの洗浄水１２の温度が給水可能温度Ｔ２にまで低下していない場合は、給水可能温度Ｔ２にまで低下したときに、洗い工程が始まる。
【００４５】
なお、洗い工程（時刻Ｄ〜Ｅ）、すすぎ工程（時刻Ｅ〜Ｆ）、および乾燥工程（時刻Ｆ〜Ｇ）は、それぞれ図６の洗い工程（時刻Ｄ〜Ｅ）、すすぎ工程（時刻Ｅ〜Ｆ）、および乾燥工程（時刻Ｆ〜Ｇ）に同じであるから、説明を省略する。
【００４６】
（注水エラー）
図８は注水エラーのタイミングチャートである。図８において、電源スイッチ３０がオンされると注水可能ランプ４０が点灯する（図８において「時刻Ａ］にて示す）。
そして、貯水タンク１０への注水が開始され、水位センサ１３が水位が満水位１４に到達したことを検知すると、注水可能ランプ４０が消灯し、満水ランプ４１が点灯し、ブザー２８が鳴り始める（時刻Ｂ）。
この間（時刻Ａ〜Ｂ）、ヒータ１６はオフしているものの、温度センサ１５は、注入される洗浄水１２の温度を検知している（図中、洗浄水１２の温度が大気温度より高くなっている）。なお、満水位１４に到達した後も注水が続いるため、洗浄水１２はオーバーフロー口１１に到達した後は、排水路２４に溢れ出すことになる。
【００４７】
そして、スタートキー３１が押されると（時刻Ｃ）、ヒータ１６がオンし、ブザー２８は停止する（時刻Ｃ）。そして、温度センサ１５が洗浄水１２の温度が洗浄温度Ｔ１に到達したことを検知すると、ヒータ１６を停止し、満水ランプ４１を消灯し、洗いランプ４３を点灯し、給水ポンプ１７を起動する（時刻Ｈ）。
すなわち、時刻Ｈから所定のｔ１時間の間だけ給水ポンプ１７は稼働して、所定の量の洗浄水１２（洗い用）を洗浄槽９に供給する。
【００４８】
そして、ｔ１時間経過したところで、給水ポンプ１７は停止し、洗浄ポンプ２０が起動する。このとき、注水が続いているから、注水エラーランプ４２が点灯する。
また、洗浄ポンプ２０は所定の時間の間だけ稼働を継続して停止する（時刻Ｉ）。そして、時刻Ｉにおいて、水位センサはオンし、ブザー２８は鳴り始める。
そうすると、注水が停止したところで、ブザー２８は停止し、温度センサ１５はオフになる。
【００４９】
（再注水）
図９は再注水のタイミングチャートである。図９において、電源スイッチ３０がオンされると注水可能ランプ４０が点灯する（図６において「時刻Ｚ］にて示す）。
そして、貯水タンク１０への注水が開始され（時刻Ａ）、水位センサ１３が水位が満水位１４に到達したことを検知すると、注水可能ランプ４０が消灯し、満水ランプ４１が点灯し、ブザー２８が鳴り始める（時刻Ｂ）。
この間（時刻Ａ〜Ｂ）、ヒータ１６はオフしているものの、温度センサ１５は、注入される洗浄水１２の温度を検知している（図中、洗浄水１２の温度が大気温度より高くなっている）。なお、満水位１４に到達した後も注水が続いるため、洗浄水１２はオーバーフロー口１１に到達した後は、排水路２４に溢れ出すことになる。
【００５０】
そして、スタートキー３１が押されると（時刻Ｃ）、ヒータ１６がオンし、ブザー２８は停止する（時刻Ｃ）。そして、温度センサ１５が洗浄水１２の温度が洗浄温度Ｔ１に到達したことを検知すると、ヒータ１６を停止し、満水ランプ４１を消灯し、洗いランプ４３を点灯し、給水ポンプ１７を起動する（時刻Ｄ）。
すなわち、洗い工程に進む。なお、洗い工程（時刻Ｄ〜Ｅ）およびすすぎ工程（時刻Ｅ〜Ｆ）は、それぞれ図６の洗い工程（時刻Ｄ〜Ｅ）およびすすぎ工程（時刻Ｅ〜Ｆ）、に同じであるから、説明を省略する。
【００５１】
そして、すすぎ工程が終了すると、乾燥工程に入る（時刻Ｆ）。すなわち、時刻Ｆにおいて送風ファン２５が起動し、注水可能ランプ４０が点灯し、乾燥ランプ４５が点灯する。
さらに、注水が再開されると、水位センサ１３はオンする。
そして、水位が満水位に到達したとき、注水可能ランプ４０を消灯して満水ランプ４１を点灯し、ブザー２８を鳴らすと共に、ヒータ１６をオンする。
【００５２】
そして、再度の注水が停止すると、ブザー２８を停止する（時刻Ｋ）。さらに、貯水タンク１０内に再度注入された洗浄水１２の温度が洗浄温度Ｔ１に到達したところで、ヒータ１６をオフする。                        
やがて、所定の乾燥時間（ｔ７時間）が経過したところで、送風ファン２５を停止すると共に、乾燥ランプ４５を消灯し、電源スイッチ３０をオフにする。
【図面の簡単な説明】
【００５３】
【図１】本発明の実施の形態に係る食器洗浄機の設置状態の一例を示す設置状態図。
【図２】図１に示す食器洗浄機の本体の内部構成を示す概略断面図。
【図３】図１に示す食器洗浄機の電気的な構成を示すブロック図。
【図４】図１に示す食器洗浄機の操作部の一例を示す平面図。
【図５】図１に示す食器洗浄機の制御手段が実行する処理を示すフローチャート。
【図６】制御手段が実行する処理を示すタイミングチャート（通常シーケンス）。
【図７】制御手段が実行する処理を示すタイミングチャート（高温注水）。
【図８】制御手段が実行する処理を示すタイミングチャート（注水エラー）。
【図９】制御手段が実行する処理を示すタイミングチャート（再注水）。
【符号の説明】
【００５４】
１  本体、２  操作部、２ａ  入力部、２ｂ  注水表示部、２ｃ  工程表示部、３  扉、４  給水パイプ、５  受水口、６  排水ホース、７  蛇口、９  洗浄槽、１０  貯水タンク、１１  オーバーフロー口、１２  洗浄水、１３  水位センサ、１４  満水位、１５  温度センサ、１６  ヒータ、１７  給水ポンプ、１８  給水路、１９  給水口、２０  洗浄ポンプ、２１  洗浄ノズル、２２  循環水路、２３  排水ポンプ、２４  排水路、２５  送風ファン、２６  送風口、２７  制御手段、２８  ブザー、３０  電源スイッチ、３１  スタートキー、４０  注水可能ランプ、４１  満水ランプ、４２  注水エラーランプ、４３  洗いランプ、４４  すすぎランプ、４５  乾燥ランプ、１００  食器洗浄機、２００  カウンタートップ、２０１  シンク、Ｔ１  洗浄温度、Ｔ２  給水可能温度、Ｔ３  注水許容温度、ｔ１  供水時間、ｔ２  洗い時間、ｔ３  排水時間、ｔ４  供水時間、ｔ５  すすぎ時間、ｔ６  排水時間、ｔ７  乾燥時間。
【図１】
2006247109.tif 000003
【図２】
2006247109.tif 000004
【図３】
2006247109.tif 000005
【図４】
2006247109.tif 000006
【図５】
2006247109.tif 000007
【図６】
2006247109.tif 000008
【図７】
2006247109.tif 000009
【図８】
2006247109.tif 000010
【図９】
2006247109.tif 000011